(57)【要約】【課題】本発明は、縦枠からの採光を可能とし、昼間でもシャッターを閉じて断熱性を発揮させることが可能なシャッターを提供することを目的とする。【解決手段】建物１２の開口部１４を開閉するシャッター本体２２と、前記シャッター本体２２の端部を上下へ移動可能に案内するガイドレール４４と、前記開口部１４の周縁部から張り出し前記ガイドレール４４が取付けられると共に、透明性を有する樹脂製の縦枠２６とを有する。【選択図】図３
2018021432.tif 000002
【特許請求の範囲】
【請求項１】
建物の開口部を開閉するシャッター本体と、
前記シャッター本体の端部を上下へ移動可能に案内するガイドレールと、
前記開口部の周縁部から張り出し前記ガイドレールが取付けられると共に、透明性を有する樹脂製の縦枠と、
を有するシャッター。
【請求項２】
前記縦枠を半透明樹脂で形成した請求項１記載のシャッター。
【請求項３】
前記縦枠を中空状に形成し、前記縦枠内に張り出し方向に間隔を空けて半透明なリブを設けた請求項２記載のシャッター。
【請求項４】
前記縦枠を透明樹脂で中空状に形成し、前記縦枠内に張り出し方向に間隔を空けて不透明なリブを設けた請求項１記載のシャッター。
【請求項５】
前記リブの延長線上に前記開口部が位置しないように前記建物からの前記縦枠の張り出し方向に対する前記リブの角度を設定した請求項３又は請求項４に記載のシャッター。
【発明の詳細な説明】
【技術分野】
【０００１】
本発明は、建物の開口部に設けられるシャッターに関する。
【背景技術】
【０００２】
従来、建物の窓開口部を開閉するシャッターが知られている（例えば、特許文献１参照）。
【０００３】
このシャッターは、シャッター本体の側部に設けられた縦枠を備えており、縦枠に設けられたガイドレールに沿ってシャッター本体を開け閉めできるように構成されている。この縦枠は、アルミ合金等の金属で形成されるのが一般的であり、当該縦枠を介して熱が移動したり、結露が生じたりすることがある。
【０００４】
そこで、本願出願人は、縦枠を樹脂製とすることで、断熱性能が高いシャッターを開発中である。これにより、シャッターを閉めた時、屋内の冷暖房効率の向上や結露の抑制効果を得ることができる。
【先行技術文献】
【特許文献】
【０００５】
【特許文献１】特開２０１４−０２５３１４号公報
【発明の概要】
【発明が解決しようとする課題】
【０００６】
しかしながら、このようなシャッターにおいては、日中は日差しを取り込むためにシャッター本体を開放することが多く、シャッター本体は一般的に夜間しか閉鎖しない。
【０００７】
このため、前述した断熱性も夜間にしか発揮できず、昼間でも開口部の断熱機能を発揮可能とする新たな課題を発見した。
【０００８】
本発明は、縦枠からの採光を可能とし、昼間でもシャッターを閉じて断熱性を発揮させることが可能なシャッターを提供することを目的とする。
【課題を解決するための手段】
【０００９】
本発明の第一の態様のシャッターは、建物の開口部を開閉するシャッター本体と、前記シャッター本体の端部を上下へ移動可能に案内するガイドレールと、前記開口部の周縁部から張り出し前記ガイドレールが取付けられると共に、透明性を有する樹脂製の縦枠と、を有する。
【００１０】
すなわち、ガイドレールが取付けられた縦枠が透明性を有する樹脂製であるため、シャッター本体を閉じても、縦枠を通じて開口部内へ光を取り込むことができる。このため、昼間にシャッター本体を閉じても、屋内へ採光が可能となり、昼間に断熱部材としてシャッターを利用できる。
【００１１】
本発明の第二の態様のシャッターは、前記縦枠を半透明樹脂で形成した。
【００１２】
すなわち、縦枠は半透明樹脂で形成されており、縦枠を透明樹脂で形成した場合と比較して、屋外から屋内の視認性を低下することができる。これにより、屋内の覗き見を抑止し、プライバシーの保護を図ることができる。
【００１３】
本発明の第三の態様のシャッターは、前記縦枠を中空状に形成し、前記縦枠内に張り出し方向に間隔を空けて半透明なリブを設けた。
【００１４】
すなわち、縦枠は、中空状に形成されており、縦枠内には、リブが設けられている。これにより、縦枠の剛性を高めることができる。
【００１５】
そして、縦枠に設けられたリブは半透明であり、半透明の縦枠と半透明のリブとによって透明度を低下することができ、このリブを通した屋外から屋内への視認性のさらなる低下を図ることができる。これにより、縦枠を補強するリブを有効利用することができる。
【００１６】
本発明の第四の態様のシャッターは、前記縦枠を透明樹脂で中空状に形成し、前記縦枠内に張り出し方向に間隔を空けて不透明なリブを設けた。
【００１７】
すなわち、縦枠は、中空状に形成されており、縦枠内には、リブが設けられている。これにより、縦枠の剛性を高めることができる。
【００１８】
また、縦枠に設けられたリブは不透明であり、縦枠を通した屋外から屋内への視線を不透明なリブによって遮断することができる。これにより、縦枠を補強するリブを有効に活用して屋内の覗き見を抑止し、プライバシーの保護を図ることができる。
【００１９】
そして、縦枠を透明樹脂で形成したので、半透明樹脂で形成する場合と比較して、採光効果を高めることができる。
【００２０】
本発明の第五の態様のシャッターは、前記リブの延長線上に前記開口部が位置しないように前記建物からの前記縦枠の張り出し方向に対する前記リブの角度を設定した。
【００２１】
すなわち、縦枠に設けられたリブの延長線上に開口部が位置しないように当該リブが設けられているので、リブに沿った視線が直接開口部の内側に届くことはない。これにより、縦枠に設けられたリブによるプライバシー保護効果を高めることができる。
【発明の効果】
【００２２】
本発明は上記構成としたので、縦枠からの採光を可能とし、昼間でもシャッターを閉じて断熱性を発揮させることが可能となる。
【図面の簡単な説明】
【００２３】
【図１】第１実施形態に係るシャッターを示す斜視図である。
【図２】第１実施形態に係るシャッターを示す図であり、（Ａ）は正面図で、（Ｂ）は側面図である。
【図３】第１実施形態のシャッターの要部を示す水平断面図である。
【図４】第２実施形態のシャッターの要部を示す水平断面図である。
【図５】第３実施形態のシャッターを示す図であり、（Ａ）は正面図で、（Ｂ）は側面図である。
【発明を実施するための形態】
【００２４】
（第１実施形態）
以下、本発明の第１実施形態を図面に従って説明する。図１及び図２は、本実施形態に係るシャッター１０を示す図であり、シャッター１０は、住宅などの建物１２に設けられている。
【００２５】
この建物１２には、図３にも示すように、柱１１に取り付けられた壁板１３に開口部１４が設けられており、開口部１４には窓サッシ１６が開口縁に沿って設けられている。窓サッシ１６には、図１に示したように、引違式の窓ガラス１８が設けられており、窓ガラス１８をスライドすることで、開口部１４を開閉できるように構成されている。
【００２６】
この窓サッシ１６の外周部にある柱１１には、シャッター１０の外枠２０が固定されており、窓ガラス１８の前面を覆うシャッター本体２２が外枠２０の内側に設けられている。外枠２０は、窓サッシ１６の下部に延設された下縁部を構成する下枠２４と、下枠２４の各端部より起立した縦枠２６とを備えている。各縦枠２６の上端部間には、ケース２７が延設されており、両縦枠２６の上端部は、ケース２７の中に収容されている。
【００２７】
ケース２７内には、図２に示したように、シャッター幅方向１０Ａに延在する巻取シャフト３０が設けられており、巻取シャフト３０には、シャッター本体２２の上縁部が支持されている。これにより、シャッター本体２２を巻取シャフト３０に巻き取ってケース２７に収容することでシャッター１０を開放するとともに、巻取シャフト３０に巻かれたシャッター本体２２を引き出してシャッター１０を閉鎖できるように構成されている。
【００２８】
シャッター１０としては、図２に示したように、巻取シャフト３０を回動する回動機構３２をケース２７内に備えたものがある。この回動機構３２には、ハーネス３４を介して操作スイッチ３６が接続されており、操作スイッチ３６を室内に設置することで、室内でのスイッチ操作によりシャッター１０を電動で開閉できるように構成されている。
【００２９】
縦枠２６は、透明性を有する樹脂で形成されている。ここで、透明性を有するとは、透明及び半透明を含む概念であり、当該実施形態では、半透明樹脂で形成されている。ここで、「半透明の樹脂」とは、その樹脂を用いて成形された厚さが４〔ｍｍ〕で、かつ、表面粗さＲａが０．５〔μｍ〕（ＪＩＳ  Ｂ  ０６０１）の板材の可視光線透過率（ＪＩＳ  Ｋ  ７１０５）が、２０％以上８０％以下となる樹脂材料である。
【００３０】
この縦枠２６は、図３に示したように、中空板状の縦枠本体２８を備えている。縦枠本体２８は、外枠２０の外側を構成する外面２８Ａと、外面２８Ａに対向し内側を構成する内面２８Ｂとを備えている。また、縦枠本体２８は、外面２８Ａの端と内面２８Ｂの端とを建物１２側で連設する内側端面２８Ｃと、外面２８Ａの端と内面２８Ｂの端とを建物１２と逆側で連設する外側端面２８Ｄとを有している。
【００３１】
建物１２側に位置する縦枠本体２８の内側端面２８Ｃ側には、当該縦枠本体２８を建物１２へ固定するため、外面２８Ａの延長上に延在し内側端面２８Ｃより建物１２側に突出した延長部４０Ａと、延長部４０Ａの先端より柱１１に沿って延出する外側フランジ４０Ｂとが設けられている。これにより、外側フランジ４０Ｂに挿通されたタッピンネジを、シール剤１７を介して柱１１にねじ込むことで、当該縦枠２６を柱１１に固定できるように構成されている。
【００３２】
また、縦枠本体２８の内側端面２８Ｃの延長上には、内面２８Ｂより外枠内側へ向けて延出する内側フランジ４０Ｃが形成されており、内側フランジ４０Ｃと、建物１２に固定された窓サッシ１６とを、緩衝材４２を介して密着させている。
【００３３】
建物１２と逆側に位置する縦枠本体２８の外側端面２８Ｄには、シャッター本体２２の端部をスライド自在に支持する断面コ字状のガイドレール４４が縦枠２６の長さ方向全長に渡って設けられている。このガイドレール４４は、アルミニウムで形成され不透明とされているが、透明性を有する樹脂で構成してもよい。
【００３４】
縦枠本体２８へのガイドレール４４の取り付け部分について説明すると、縦枠本体２８の外側端面２８Ｄの延長上には、外枠内側へ向けて延出した第一固定片２８Ｆが形成されている。第一固定片２８Ｆには、ガイドレール４４より延出した第二固定部４４Ａが固定されている。また、縦枠本体２８の外側端面２８Ｄより建物１２側には、内面２８Ｂより外枠内側へ向けて延出する内方延出片２８Ｇが形成されており、内方延出片２８Ｇの先端からは、建物１２から離れる方向へ向けて延出する第二固定片２８Ｈが延出している。この第二固定片２８Ｈには、ガイドレール４４より延出した第二固定部４４Ｂが固定されている。
【００３５】
そして、中空状に形成された縦枠本体２８内には、外面２８Ａと内面２８Ｂとを連設するリブ４６が、当該縦枠２６の張り出し方向に間隔をおいて複数形成されており、当該縦枠本体２８が補強されている。このリブ４６は、縦枠本体２８と一体成形されており、縦枠本体２８と同様に半透明な樹脂で形成されている。
【００３６】
また、各リブ４６は、縦枠２６の張り出し方向Ｈに延在する外面２８Ａ及び内面２８Ｂに対して直交するように設けられており、リブ４６の延長線Ｍ上に窓ガラス１８（建物１２の開口部１４）が位置しないように構成されている。
【００３７】
以上の構成に係る本実施形態の作用を説明する。
【００３８】
すなわち、建物１２の開口部１４の側部からは、ガイドレール４４を備えた縦枠２６が張り出しており、この縦枠２６は、透明性を有する樹脂製で形成されている。このため、縦枠２６より外側の光Ｔは、当該縦枠２６を介して窓ガラス１８とシャッター本体２２との間の空間１０２に取り込まれるとともに、建物１２に設けられた窓ガラス１８を通じて屋内Ｉに取り込まれる。
【００３９】
このように、シャッター本体２２を閉鎖したとしても縦枠２６を通じて日差しを屋内Ｉに取り込むことができる。このため、日中でもシャッター本体２２の閉鎖が可能となり、縦枠２６を樹脂製としたことによる断熱機能を発揮することができる。
【００４０】
したがって、日中でのシャッター１０の使用を促進し、樹脂製の縦枠２６による断熱効果を得ることが可能となる。これにより、冷暖房効率の向上や結露防止効果を得ることができる。
【００４１】
また、縦枠２６は、半透明樹脂で形成されており、縦枠２６を透明樹脂で形成した場合と比較して、屋外Ｏから屋内Ｉの視線Ｓを妨げ、視認性を低下することができる。これにより、屋内Ｉの覗き見を抑止し、プライバシーの保護を図ることができる。
【００４２】
そして、縦枠２６は、中空状に形成されており、外側を構成する外面２８Ａと内側を構成する内面２８Ｂとがリブ４６によって複数箇所で連設されている。これにより、縦枠２６に剛性を高めることができる。
【００４３】
このとき、この縦枠２６に設けられたリブ４６は半透明であり、半透明な縦枠２６と半透明なリブ４６とによって透明度を低下することができる。これにより、このリブ４６を通じた屋外Ｏから屋内Ｉへの視認性のさらなる低下を図ることができ、縦枠２６を補強するリブ４６を有効利用することができる。
【００４４】
そして、これらのリブ４６の延長線Ｍ上には、建物１２の窓ガラス１８（開口部１４）が位置しないように建物１２からの縦枠２６の張り出し方向Ｈに対する各リブ４６の角度が設定されている。このため、リブ４６に沿った視線Ｓが直接窓ガラス１８（開口部１４）の内側に届くことはない。これにより、縦枠２６に設けられたリブ４６によるプライバシー保護効果を高めることができる。なお、縦枠２６を透明樹脂で成形した場合、リブ４６は必ずしも必要ではない。
【００４５】
（第２実施形態）
図４は、第２実施形態を示す図であり、第１実施形態と同一又は同等部分については同符号を付して説明を割愛するとともに、異なる部分についてのみ説明する。
【００４６】
すなわち、本実施形態では、縦枠２６が透明樹脂で形成されており、縦枠本体２８内に設けられたリブ１１０は、不透明とされている。この不透明なリブ１１０は、透明樹脂で縦枠本体２８に一体形成されたリブ１１０を着色して不透明とする方法や、リブ１１０のみを不透明な樹脂で形成する方法や、金属など他の不透明な材質でリブ１１０を形成する方法が挙げられる。
【００４７】
ここで、「不透明な樹脂」とは、その樹脂を用いて成形された厚さが４〔ｍｍ〕で、かつ、表面粗さＲａが０．５〔μｍ〕（ＪＩＳ  Ｂ  ０６０１）の板材の可視光線透過率（ＪＩＳ  Ｋ  ７１０５）が、２０％未満となる樹脂材料である。
【００４８】
また、「透明樹脂」とは、その樹脂を用いて成形された厚さが４〔ｍｍ〕で、かつ、表面粗さＲａが０．５〔μｍ〕（ＪＩＳ  Ｂ  ０６０１）の板材の可視光線透過率（ＪＩＳ  Ｋ  ７１０５）が、８０％を超える樹脂材料である。
【００４９】
そして、透明樹脂を着色して不透明としたリブ１１０や、他の材質からなるリブ１１０にあっては、当該リブ１１０の可視光線透過率（ＪＩＳ  Ｋ  ７１０５）が、２０％未満の場合を不透明とする。
【００５０】
以上の構成に係る本実施形態においても、第１実施形態と同様の作用効果を得ることができる。
【００５１】
また、本実施形態では、縦枠２６が中空状に形成されており、外側を構成する外面２８Ａと内側を構成する内面２８Ｂとがリブ１１０で連設されている。これにより、縦枠２６の剛性を高めることができる。
【００５２】
また、この縦枠２６に設けられたリブ１１０は不透明であり、縦枠２６を介した屋外Ｏから屋内Ｉへの視線Ｓを不透明なリブ１１０によって遮断することができる。これにより、縦枠２６を補強するリブ１１０を有効に活用して屋内Ｉの覗き見を抑止し、プライバシーの保護を図ることができる。
【００５３】
そして、縦枠２６を透明樹脂で形成したので、半透明樹脂で形成する場合と比較して、採光効果を高めることができる。
【００５４】
なお、これら各実施形態では、縦枠本体２８に設けられたリブ４６、１１０が縦枠２６の張り出し方向Ｈに対して直交する場合について説明したが、これに限定されるものではない。
【００５５】
例えば、各リブ４６、１１０において、内面２８Ｂに接続された一端４６Ａ、１１０Ａより外面２８Ａに接続された他端４６Ｂ、１１０Ｂが建物１２側に位置するように、リブ４６、１１０を縦枠２６の張り出し方向Ｈに対して傾斜させてもよい。
【００５６】
（第３実施形態）
また、前述した各実施形態の構造は、図５に示すように、開口部１４の中央部に中柱１２０が設けられたシャッター１２２にも応用することができる。
【符号の説明】
【００５７】
１０    シャッター
１２    建物
１４    開口部
２２    シャッター本体
２６    縦枠
２８Ａ  外面
２８Ｂ  内面
４４    ガイドレール
１１０    リブ
１２２    シャッター
Ｈ    張り出し方向
Ｍ    延長線
Ｓ    視線
Ｔ    光
【図１】
2018021432.tif 000003
【図２】
2018021432.tif 000004
【図３】
2018021432.tif 000005
【図４】
2018021432.tif 000006
【図５】
2018021432.tif 000007